(57)【要約】【課題】  特殊工具を不要にすることで、コストダウンを図るとともに、作業場所を制限すること無く、容易に軸受の取付け・取外しを可能にすること。【解決手段】  枢軸１に軸受３を取付ける際には、押圧機能付きのロックナット２０を、アダプタースリーブ２のネジ部２ａに途中まで取りつける。この状態で、ロックナット２０に形成した少なくとも２個の貫通孔２１に、少なくとも２本以上ボルト３０を挿入し、徐々に締め込んでいく。これにより、ボルト３０の先端にて、軸受３の内輪４の端面が押圧され、軸受３が前方に押し出されて、枢軸１に取付けることができる。軸受３の取付け後は、ロックナット２０を軸受３と接触するまで回転させれば、軸受３の位置を固定することができる。【選択図】  図２
2006009967.tif 000002
【特許請求の範囲】
【請求項１】
枢軸に、軸受を取付け又は取外しをする際に使用する押圧機能付きナットであって、
軸方向に貫通した貫通孔が、周方向に沿って少なくとも２個、形成してあることを特徴とする押圧機能付きナット。
【発明の詳細な説明】
【技術分野】
【０００１】
本発明は、主に内径テーパー孔を有する軸受を、各種機械装置の回転軸に取付け又は取外しをするための押圧機能付きナットに関する。
【背景技術】
【０００２】
図３（ａ）は、従来例１に係り、枢軸に軸受を取付ける状態を示す断面図であり、（ｂ）は、ナットに工具を装着した状態を示す模式図である。
【０００３】
枢軸１に、外周面がテーパー形状であるアダプタースリーブ２が装着してあり、このアダプタースリーブ２のテーパー状の外周面に、軸受３を取付ける場合には、内輪４の内径面４ａ（取付孔）も、テーパー形状に形成してある。なお、図３に於いて、符号５は、外輪であり、符号６は、ころ転動体であり、符号７は、保持器である。
【０００４】
このように、アダプタースリーブ２のテーパー状の外周面に、テーパー形状の内輪４の内径面４ａ（取付孔）を嵌合して固定する場合には、特殊レンチ１１により、ロックナット１０を締め込み、内輪４を押圧しながら固定している。
【０００５】
また、枢軸１からの軸受３の取り外しの際にも、同様に、特殊レンチ１１を使用している。
【０００６】
図４は、従来例２に係り、枢軸に軸受を取付ける状態を示す断面図である。本従来例２は、軸受内径が２００ｍｍを超えるような大型軸受の場合の取付け方法である。
【０００７】
軸受内径が２００ｍｍを超えるような場合には、特殊レンチ１１を回す際に大きなトルクが必要となり、軸受３の取付が困難である。そのため、オイルインジェクションポンプ１２から、アダプタースリーブ２と軸受３の内輪４の内径面４ａに、高圧の油を送り、嵌め合い面の摩擦の軽減および内輪４の膨張を図って、ロックナット１０を回す際のトルク軽減を実施している。
【発明の開示】
【発明が解決しようとする課題】
【０００８】
しかしながら、従来例１（図３）の場合、軸受の取付け又は取外しの際に、専用の特殊レンチ１１が必要となり、コストがかかるといったことがある。
【０００９】
また、従来例２（図４）の場合において、軸受の取付け又は取外しの際に、油圧装置が必要となるため、コストが掛かると共に、作業場所が制限されるといった問題点がある。      
【００１０】
本発明は、上述したような事情に鑑みてなされたものであって、特殊工具を不要にすることで、コストダウンを図るとともに、作業場所を制限すること無く、容易に軸受の取付け・取外しを可能にする、押圧機能付きナットを提供することを目的とする。
【課題を解決するための手段】
【００１１】
上記の目的を達成するため、本発明の請求項１に係る押圧機能付きナットは、枢軸に、軸受を取付け又は取外しをする際に使用する押圧機能付きナットであって、
軸方向に貫通した貫通孔が、周方向に沿って少なくとも２個、形成してあることを特徴とする。
【発明の効果】
【００１２】
本発明によれば、押圧機能付きナットには、軸方向に貫通した貫通孔が、周方向に沿って少なくとも２個、形成してあることから、枢軸に軸受を取付け又は取外しをする際には、以下のように行うことができる。
【００１３】
枢軸に軸受を取付ける際には、押圧機能付きナットを、枢軸等のねじ部に途中まで取りつける。この状態で、ナットに形成した少なくとも２個の貫通孔に、少なくとも２本以上ボルトを挿入し、徐々に締め込んでいく。これにより、ボルトの先端にて、軸受の内輪の端面が押圧され、軸受が前方に押し出されて、枢軸に取付けることができる。
【００１４】
軸受の取付け後は、ナットを軸受と接触するまで回転させれば、軸受の位置を固定することができる。ナットを回転させる際に軸受を同時に押し出す必要がないため、ナットは、容易に回転させることが可能である。
【００１５】
軸受の取外しの際にも、同様に、ナットを途中または最後まで取付け、この状態で、ナットの少なくとも２個の貫通孔に、少なくとも２本以上ボルトを挿入し、徐々に締め込んでいく。これにより、取付けの場合と略同様に、取り外すことができる。
【００１６】
以上から、特殊工具を不要にすることで、コストダウンを図るとともに、作業場所を制限すること無く、容易に軸受の取付け・取外しを可能にする。
【発明を実施するための最良の形態】
【００１７】
以下、本発明の実施の形態に係る押圧機能付きナットを図面を参照しつつ説明する。
【００１８】
図１（ａ）は、本発明の実施の形態に係る押圧機能付きロックナットの側面図であり、（ｂ）は、（ａ）のｂ−ｂ線に沿った断面図である。
【００１９】
図２（ａ）は、本発明の実施の形態に係る押圧機能付きロックナットにより、枢軸に軸受を取付ける状態を示す断面図であり、（ｂ）は、同ロックナットにより、枢軸から軸受を取り外す状態を示す断面図である。
【００２０】
図１（ａ）（ｂ）に示すように、押圧機能付きのロックナット２０には、軸方向に貫通した貫通孔２１が、周方向に沿って少なくとも２個、形成してある。また、ロックナット２０の外周端縁には、複数個の止め金装着用切欠き２２が形成してある。
【００２１】
図２（ａ）に示すように、枢軸１に、外周面がテーパー形状であるアダプタースリーブ２が装着してあり、このアダプタースリーブ２のテーパー状の外周面に、軸受３を取付ける場合には、内輪４の内径面４ａ（取付孔）も、テーパー形状に形成してある。なお、図２に於いて、符号５は、外輪であり、符号６は、ころ転動体であり、符号７は、保持器である。
【００２２】
このように、アダプタースリーブ２のテーパー状の外周面に、テーパー形状の内輪４の内径面４ａ（取付孔）を嵌合して固定する場合、本実施の形態では、押圧機能付きのロックナット２０を、アダプタースリーブ２のネジ部２ａに途中まで取りつける。
【００２３】
この状態で、ロックナット２０に形成した少なくとも２個の貫通孔２１に、少なくとも２本以上ボルト３０を挿入し、徐々に締め込んでいく。これにより、ボルト３０の先端にて、軸受３の内輪４の端面が押圧され、軸受３が前方に押し出されて、枢軸１に取付けることができる。
【００２４】
軸受３の取付け後は、ロックナット２０を軸受３と接触するまで回転させれば、軸受３の位置を固定することができる。ロックナット２０を回転させる際に軸受３を同時に押し出す必要がないため、ロックナット２０は、容易に回転させることが可能である。
【００２５】
軸受３の取外しの際にも、同様に、ロックナット２０を、アダプタースリーブ２のネジ部２ａの途中または最後まで取付け、この状態で、ロックナット２０の少なくとも２個の貫通孔２１に、少なくとも２本以上ボルト３０を挿入し、徐々に締め込んでいく。
【００２６】
これにより、ボルト３０の先端にて軸受３の内輪４の端面が押圧され、アダプタースリーブ２が後方に押し出され、枢軸１から取外すことができる。
【００２７】
以上から、本実施の形態では、特殊工具を不要にすることで、コストダウンを図るとともに、作業場所を制限すること無く、容易に軸受の取付け・取外しを可能にする。
【００２８】
なお、本発明は、上述した実施の形態に限定されず、種々変形可能である。
【図面の簡単な説明】
【００２９】
【図１】（ａ）は、本発明の実施の形態に係る押圧機能付きロックナットの側面図であり、（ｂ）は、（ａ）のｂ−ｂ線に沿った断面図である。
【図２】（ａ）は、本発明の実施の形態に係る押圧機能付きロックナットにより、枢軸に軸受を取付ける状態を示す断面図であり、（ｂ）は、同ロックナットにより、枢軸から軸受を取り外す状態を示す断面図である。
【図３】（ａ）は、従来例１に係り、枢軸に軸受を取付ける状態を示す断面図であり、（ｂ）は、ナットに工具を装着した状態を示す模式図である。
【図４】従来例２に係り、枢軸に軸受を取付ける状態を示す断面図である。
【符号の説明】
【００３０】
１  枢軸
２  アダプタースリーブ
２ａ  ネジ部
３  軸受
４  内輪
４ａ  内径面（取付孔）
５  外輪
６  ころ転動体
７  保持器
１０  ロックナット
１１  特殊レンチ
１２  オイルインジェクションポンプ
２０  押圧機能付きロックナット
２１  貫通孔
２２  止め金装着用切欠き
３０  ボルト
【図１】
2006009967.tif 000003
【図２】
2006009967.tif 000004
【図３】
2006009967.tif 000005
【図４】
2006009967.tif 000006